(57)【要約】【課題】表札の四隅にボルト挿通孔を形成する必要がなく、部品点数が少なく、表札の組み付けを簡易に行うことができる表札保持具を提供する。【解決手段】表札１の上端部および下端部を保持して壁面１００に表札１を取り付けるための上下一対の表札保持具２，２であって、表札保持具２は、表札１の上端部または下端部に当接して表札１を支持する支持部材３と、支持部材３を覆うように支持部材３の外面に嵌め込まれるカバー部材４とから構成され、支持部材３は、表札１の上端面または下端面を支持する端面支持部３１と、端面支持部３１の後端から９０°折り曲げて形成され表札の上端部裏面または下端部裏面を支持するための裏面支持部３２と、裏面支持部３２から突出して設けられ壁面１００に固定される複数の棒状部材１１とを備え、カバー部材４は、表札１の上端部前面または下端部前面を外側から覆うための細長い矩形状の前面カバー部４３を備えている。【選択図】図２
2012177856.tif 000002
【特許請求の範囲】
【請求項１】
略矩形の板状体からなる表札の上端部および下端部または表札の左端部および右端部を保持して壁面に表札を取り付けるための一対の表札保持具であって、
前記表札保持具は、表札の上端部または下端部または左端部または右端部に当接して表札を支持する支持部材と、該支持部材を覆うように支持部材の外面に嵌め込まれるカバー部材とから構成され、
前記支持部材は、表札の上端面または下端面または左端面または右端面を支持する細長い矩形状の端面支持部と、前記端面支持部の後端から９０°折り曲げて形成され表札の上端部裏面または下端部裏面または左端部裏面または右端部裏面を支持するための細長い矩形状の裏面支持部と、前記裏面支持部から突出して設けられ前記壁面に固定される複数の棒状部材とを備え、
前記カバー部材は、前記端面支持部を外側から覆うための細長い矩形状の端面カバー部と、前記端面カバー部の後端から９０°折り曲げて形成され前記裏面支持部を外側から覆うための細長い矩形状の裏面カバー部と、前記端面カバー部の前端から９０°折り曲げて形成され表札の上端部前面または下端部前面または左端部前面または右端部前面を外側から覆うための細長い矩形状の前面カバー部とを備えていることを特徴とする表札保持具。
【請求項２】
前記支持部材は、前記端面支持部の両側端から９０°折り曲げて形成され、表札の上端部側面または下端部側面または左端部側面または右端部側面を支持する側面支持部を備えていることを特徴とする請求項１記載の表札保持具。
【請求項３】
前記カバー部材は、前記端面カバー部と前記裏面カバー部と前記前面カバー部とによりコ字状の断面を形成していることを特徴とする請求項１または２記載の表札保持具。
【請求項４】
前記支持部材の裏面支持部と前記カバー部材の裏面カバー部のいずれか一方に複数の突部を形成し、他方に前記突部が嵌合される複数の孔を形成したことを特徴とする請求項１乃至３のいずれか1項に記載の表札保持具。
【請求項５】
前記カバー部材の裏面カバー部に、前記棒状部材を収容する切り欠きを形成したことを特徴とする請求項１乃至４のいずれか1項に記載の表札保持具。
【請求項６】
略矩形の板状体からなる表札の上端部および下端部または表札の左端部および右端部を保持して壁面に表札を取り付けるための一対の表札保持具であって、
前記表札保持具は、
表札の上端面または下端面または左端面または右端面を支持する細長い矩形状の端面支持部と、
前記端面支持部の後端から９０°折り曲げて形成され表札の上端部裏面または下端部裏面または左端部裏面または右端部裏面を支持するための細長い矩形状の裏面支持部と、
前記端面支持部の前端から９０°折り曲げて形成され表札の上端部前面または下端部前面または左端部前面または右端部前面を支持するための細長い矩形状の前面支持部と、
前記端面支持部の両側端から９０°折り曲げて形成され、表札の上端部側面または下端部側面または左端部側面または右端部側面を支持する側面支持部と、
前記裏面支持部から突出して設けられ前記壁面に固定される複数の棒状部材とを備えていることを特徴とする表札保持具。
【請求項７】
前記棒状部材は、ボルトからなり、該ボルトは裏面支持部に固着されていることを特徴とする請求項１乃至６のいずれか1項に記載の表札保持具。
【請求項８】
前記ボルトには、前記壁面と表札との間隔を一定に保つための高ナットまたはスペーサが装着されていることを特徴とする請求項７記載の表札保持具。
【発明の詳細な説明】
【技術分野】
【０００１】
本発明は、氏名や名称等を表示する表札を玄関や塀などの壁面に取り付けるための表札保持具に関するものである。
【背景技術】
【０００２】
木材、石材あるいは金属材等からなる板状体の表面に文字を刻設した表札は、最も一般的であり、広く普及している。近年、デザイン性や個性を重視する傾向から表札の素材には、ガラス、プラスチック、セラミックス、複数の素材を組み合わせた複合材等の種々のものが用いられている。このような表札の最も簡易な取付方法としては、表札の背面に取付穴を設け、この取付穴を壁面に立設した釘あるいはボルトなどに引っ掛ける方法がある。これは極めて簡易な取付方法であるが、表札が釘あるいはボルトなどにぶら下がっただけの状態であるため、強風や振動などにより外れる危険性が高い。
【０００３】
そのため、落下すると事故を起こすおそれがある重い表札の場合には、壁面に設けた凹部に表札の背面を嵌め込み、接着剤を用いて表札の背面を壁面に固定する取付方法が採用されている。
しかしながら、表札は、玄関、門柱、塀等の壁面に強固に取付けることができるとともに、壁面を塗装するなどの補修をする場合には、取外せることが望ましい。表札を壁面に直接接着する場合には、表札を傷付けずに壁面から取外すことは不可能である。
【０００４】
表札を取外し可能とするために、表札の四隅にボルト挿通孔を設け、玄関や塀等の壁面には表札のボルト挿通孔に対応した４箇所に雌ねじを有したボルトプラグを埋設し、４本のボルトを表札の挿通孔に通してボルトプラグにねじ込むことにより表札を固定することが行われている。
【０００５】
図２６は、表札をボルトを用いて壁面に固定する取付方法の一例を示す斜視図であり、図２７は、図２６のXXVII−XXVII線断面図である。
図２６に示すように、玄関や塀等の壁面１００に表札１０１がボルトを用いて固定されている。図２７に示すように、壁面１００には内面に雌ねじを有したボルトプラグ１０２が埋設されている。表札１０１の四隅にはボルト挿通孔１０１ｈが形成されており、各ボルト挿通孔１０１ｈには寸切りボルト１０３が挿通されている。寸切りボルト１０３の下部はボルトプラグ１０２にねじ込まれて固定されており、寸切りボルト１０３の上端部には袋ナット状の化粧ネジ１０４がねじ込まれている。壁面１００と表札１０１との間には、壁面１００と表札１０１との間隔を形成するための高ナット１０５が設置されている。そして、表札１０１は、寸切りボルト１０３に螺合された化粧ネジ１０４と高ナット１０５とに挟持されて壁面１００に固定されている。
【発明の概要】
【発明が解決しようとする課題】
【０００６】
図２６および図２７に示すように、表札をボルトを用いて壁面に固定する取付方法は、表札を高ナットと袋ナット状の化粧ネジとにより挟持するため、表札を強固に固定することができるとともに、表札を取り替えたい場合、あるいは引っ越しなどにより居住者が変わり表札を替える必要が生じた場合などには、化粧ネジをゆるめて取り外せば表札を取り外すことができるという利点がある。
【０００７】
しかしながら、上述した表札をボルトを用いて壁面に固定する取付方法にあっては、表札の四隅にボルト挿通孔を形成しなければならず、表札の加工に手間が掛かるという問題点がある。
また、表札の四隅を寸切りボルト、高ナット、化粧ネジを用いてそれぞれ固定する必要があるため、部品点数が多く、表札の組み付けに手間が掛かるという問題点がある。
さらに、表札を取り付けた後に、化粧ネジをゆるめて取り外せば、表札を簡単に取り外すことができるため、表札がいたずらで外されたり他人に持ち去られたりする危険性もある。
【０００８】
本発明は、上述の事情に鑑みなされたもので、表札の四隅にボルト挿通孔を形成する必要がなく、また表札を固定するための部品点数が少なく、表札の組み付けを簡易に行うことができ、さらに表札がいたずらで外されたりする危険性をなくすことができる表札保持具を提供することを目的とする。
【課題を解決するための手段】
【０００９】
上述した目的を達成するため、本発明の表札保持具の第１の態様は、略矩形の板状体からなる表札の上端部および下端部または表札の左端部および右端部を保持して壁面に表札を取り付けるための一対の表札保持具であって、前記表札保持具は、表札の上端部または下端部または左端部または右端部に当接して表札を支持する支持部材と、該支持部材を覆うように支持部材の外面に嵌め込まれるカバー部材とから構成され、前記支持部材は、表札の上端面または下端面または左端面または右端面を支持する細長い矩形状の端面支持部と、前記端面支持部の後端から９０°折り曲げて形成され表札の上端部裏面または下端部裏面または左端部裏面または右端部裏面を支持するための細長い矩形状の裏面支持部と、前記裏面支持部から突出して設けられ前記壁面に固定される複数の棒状部材とを備え、前記カバー部材は、前記端面支持部を外側から覆うための細長い矩形状の端面カバー部と、前記端面カバー部の後端から９０°折り曲げて形成され前記裏面支持部を外側から覆うための細長い矩形状の裏面カバー部と、前記端面カバー部の前端から９０°折り曲げて形成され表札の上端部前面または下端部前面または左端部前面または右端部前面を外側から覆うための細長い矩形状の前面カバー部とを備えていることを特徴とする。
【００１０】
本発明によれば、表札を一対の支持部材に嵌め込むことにより、表札の下端面および上端面または表札の左端面および右端面は、支持部材の端面支持部に当接し、表札の上下端部裏面または左右端部裏面は支持部材の裏面支持部に当接する。表札の上下部分または左右部分に当接している支持部材にそれぞれカバー部材を嵌め込むことにより、支持部材の端面支持部および裏面支持部は、カバー部材の端面カバー部および裏面カバー部により覆われ、表札の上下端部前面または左右端部前面は、カバー部材の前面カバー部により支持される。また、壁面の上下左右に間隔をおいて形成された孔に、上下一対または左右一対の支持部材に設けられた複数の棒状部材を挿入して接着剤を用いて棒状部材を孔に固定することにより、表札保持具に保持された表札を壁面に固定することができる。
【００１１】
本発明の一態様によれば、前記支持部材は、前記端面支持部の両側端から９０°折り曲げて形成され、表札の上端部側面または下端部側面または左端部側面または右端部側面を支持する側面支持部を備えていることを特徴とする。
本発明によれば、表札の上下端部両側面または左右端部両側面は支持部材の側面支持部により支持される。
【００１２】
本発明の一態様によれば、前記カバー部材は、前記端面カバー部と前記裏面カバー部と前記前面カバー部とによりコ字状の断面を形成していることを特徴とする。
【００１３】
本発明の一態様によれば、前記支持部材の裏面支持部と前記カバー部材の裏面カバー部のいずれか一方に複数の突部を形成し、他方に前記突部が嵌合される複数の孔を形成したことを特徴とする。
本発明によれば、支持部材の裏面支持部とカバー部材の裏面カバー部のいずれか一方に形成された突部と、裏面支持部と裏面カバー部の他方に形成された孔とが嵌合されるため、支持部材とカバー部材とは、強固に一体化される。これら突部と孔は、支持部材とカバー部材とが外れることを防止する抜け止め機構として機能する。
【００１４】
本発明の一態様によれば、前記カバー部材の裏面カバー部に、前記棒状部材を収容する切り欠きを形成したことを特徴とする。
本発明によれば、支持部材の裏面支持部に固定された棒状部材は、カバー部材の裏面カバー部に形成された切り欠きに収容されるようになっているため、支持部材にカバー部材を嵌め込む際に、棒状部材がカバー部材と干渉することはない。
【００１５】
本発明の表札保持具の第２の態様は、略矩形の板状体からなる表札の上端部および下端部または表札の左端部および右端部を保持して壁面に表札を取り付けるための一対の表札保持具であって、前記表札保持具は、表札の上端面または下端面または左端面または右端面を支持する細長い矩形状の端面支持部と、前記端面支持部の後端から９０°折り曲げて形成され表札の上端部裏面または下端部裏面または左端部裏面または右端部裏面を支持するための細長い矩形状の裏面支持部と、前記端面支持部の前端から９０°折り曲げて形成され表札の上端部前面または下端部前面または左端部前面または右端部前面を支持するための細長い矩形状の前面支持部と、前記端面支持部の両側端から９０°折り曲げて形成され、表札の上端部側面または下端部側面または左端部側面または右端部側面を支持する側面支持部と、前記裏面支持部から突出して設けられ前記壁面に固定される複数の棒状部材とを備えていることを特徴とする。
【００１６】
本発明によれば、表札を一対の表札保持具に嵌め込むことにより、表札の上下端面または左右端面を端面支持部に当接させ、表札の上下端部裏面または左右端部裏面を裏面支持部に当接させ、表札の上下端部前面または左右端部前面を前面支持部に当接させ、表札の上下端部側面または左右端部側面を側面支持部に当接させることにより、表札を表札保持具により支持することができる。また、壁面の上下左右に間隔をおいて形成された孔に、上下一対または左右一対の裏面支持部から突出して設けられた複数の棒状部材を挿入して接着剤を用いて棒状部材を孔に固定することにより、表札保持具に保持された表札を壁面に固定することができる。
【００１７】
本発明の一態様によれば、前記棒状部材は、ボルトからなり、該ボルトは裏面支持部に固着されていることを特徴とする。
本発明によれば、表札保持具の裏面支持部に固定された棒状部材が寸切りボルト等のボルトからなるため、壁面にボルトを固定する際に接着剤を用いることにより強固に固定することができる。したがって、支持部材を壁面に堅固に固定できる。
【００１８】
本発明の一態様によれば、前記ボルトには、前記壁面と表札との間隔を一定に保つための高ナットまたはスペーサが装着されていることを特徴とする。
本発明によれば、高ナットまたはスペーサにより表札と壁面との間隔を一定にすることができる。
【発明の効果】
【００１９】
本発明は、以下に列挙する効果を奏する。
１）表札にボルト挿通孔を形成する必要がないため、表札の加工が簡易になり、加工コストを低減することができる。
２）表札を上下一対の支持部材または左右一対の支持部材に挿入し、支持部材にそれぞれカバー部材を嵌め込むだけで表札の組み付けができるため、または、表札を上下一対または左右一対の表札保持具に嵌め込むだけで表札の組み付けができるため、表札の組み付け作業がきわめて簡易であり、組み付け時間を飛躍的に短縮できる。
３）表札保持具に組み付けられた表札を壁面に固定した後には、表札を簡単には取り外しできないため、表札がいたずらで外されたり他人に持ち去られたりする危険性がない。
４）表札の前面には、表札の上下端部または左右端部の前面を支持する部分のみが露出するだけであって、化粧ねじ等が露出することがないため、意匠性に優れている。
【図面の簡単な説明】
【００２０】
【図１】図１は、本発明の表札保持具を用いて玄関や塀等の壁面に表札を取付けた状態を示す斜視図である。
【図２】図２は、図１のII−II線断面図である。
【図３】図３は、表札保持具の分解斜視図である。
【図４】図４は、支持部材とカバー部材とを一体化する前の状態を示す図である。
【図５】図５は、支持部材とカバー部材とを一体化した状態を示す斜視図である。
【図６】図６は表札保持具の正面図である。
【図７】図７は表札保持具の背面図である。
【図８】図８は表札保持具の右側面図である。
【図９】図９は表札保持具の左側面図である。
【図１０】図１０は表札保持具の平面図である。
【図１１】図１１は表札保持具の底面図である。
【図１２】図１２は表札保持具の使用状態を示す斜視図である。
【図１３】図１３は、本発明の第１の態様にかかる表札保持具を用いて玄関や塀等の壁面に表札を取り付ける手順を示す模式図である。
【図１４】図１４は、本発明の第１の態様にかかる表札保持具を用いて玄関や塀等の壁面に表札を取り付ける手順を示す模式図である。
【図１５】図１５は、本発明の第１の態様にかかる表札保持具を用いて玄関や塀等の壁面に表札を取り付ける手順を示す模式図である。
【図１６】図１６は、本発明の第１の態様にかかる表札保持具を用いて玄関や塀等の壁面に表札を取り付ける手順のさらに別の手順を示す模式図である。
【図１７】図１７は、本発明の第１の態様にかかる表札保持具を用いて玄関や塀等の壁面に表札を取り付ける手順のさらに別の手順を示す模式図である。
【図１８】図１８は、本発明の第１の態様にかかる表札保持具を用いて玄関や塀等の壁面に表札を取り付ける手順のさらに別の手順を示す模式図である。
【図１９】図１９は、本発明の第２の態様にかかる表札保持具を示す斜視図である。
【図２０】図２０は本発明の第２の態様にかかる表札保持具の正面図である。
【図２１】図２１は本発明の第２の態様にかかる表札保持具の背面図である。
【図２２】図２２は本発明の第２の態様にかかる表札保持具の右側面図である。
【図２３】図２３は本発明の第２の態様にかかる表札保持具の左側面図である。
【図２４】図２４は本発明の第２の態様にかかる表札保持具の平面図である。
【図２５】図２５は本発明の第２の態様にかかる表札保持具の底面図である。
【図２６】図２６は、表札をボルトを用いて壁面に固定する取付方法の一例を示す斜視図である。
【図２７】図２７は、図２６のXXVII−XXVII線断面図である。
【発明を実施するための形態】
【００２１】
以下、本発明に係る表札保持具の実施の形態を図１乃至図２５を参照して説明する。図１乃至図２５において、同一または相当する構成要素には、同一の符号を付して重複した説明を省略する。また、図１乃至図２５においては表札保持具を表札の上下に使用した状態を示す。
図１は、本発明の表札保持具を用いて玄関や塀等の壁面に表札を取付けた状態を示す斜視図である。図１に示すように、表札１は、略矩形のプレート状の外形を有している。表札１の上端と下端は、上下一対の表札保持具２，２により保持されている。
【００２２】
図２は、図１のII−II線断面図である。図２に示すように、表札１の上下端部１ａ，１ｂは、上下一対の表札保持具２，２の嵌め込み部２ａ，２ａに嵌め込まれて保持されている。各表札保持具２には、左右に一対の寸切りボルト１１が固着されており（図２では一方の寸切りボルト１１のみ示す）、寸切りボルト１１の下部は壁面１００に埋設されており、寸切りボルト１１によって表札保持具２の全体を保持するようになっている。壁面１００と表札１との間には、壁面１００と表札１との間隔を形成するための高ナット（またはスペーサ）１２が配置されている。
【００２３】
図３は、表札保持具２の分解斜視図である。図３に示すように、表札保持具２は、表札１の上端部または下端部に当接して表札１を支持する支持部材３と、支持部材３を覆うように支持部材３の外面に嵌め込まれるカバー部材４とから構成されている。支持部材３およびカバー部材４は、それぞれ、例えばステンレス鋼板あるいは合金メッキ鋼板などの一枚の金属板からの打ち抜きと折り曲げ加工により形成される。支持部材３は、表札１を支持する機能を有するために板厚が１ｍｍ〜１．５ｍｍ程度の鋼板からなっている。カバー部材４は、支持部材３をカバーする機能を主として有するため、板厚が０．５ｍｍ〜１ｍｍ程度の鋼材からなっている。支持部材３は、表札１の上端面または下端面を支持する細長い矩形状の端面支持部３１と、表札１の上端部裏面または下端部裏面を支持する細長い矩形状の裏面支持部３２とを備え、裏面支持部３２は端面支持部３１の後端から上方に９０°折り曲げて形成されている。支持部材３は、端面支持部３１の両側端から上方に９０°折り曲げて形成され、表札１の上端部側面または下端部側面を支持する側面支持部３３，３３を備えている。支持部材３は端面支持部３１と裏面支持部３２とにより逆Ｌ字状の断面を形成している。そして、裏面支持部３２の裏面に左右一対の寸切りボルト１１，１１が溶接によって固定されている。また、支持部材３の裏面支持部３２には、中央部および両端部近傍の３箇所に形成され、壁面側に向かって突出する突部３２ｔ，３２ｔ，３２ｔが設けられている。
【００２４】
カバー部材４は、端面支持部３１を外側から覆うための細長い矩形状の端面カバー部４１と、端面カバー部４１の後端から上方に９０°折り曲げて形成され裏面支持部３２を外側から覆うための細長い矩形状の裏面カバー部４２と、端面カバー部４１の前端から上方に９０°折り曲げて形成され表札１の上端部前面または下端部前面を外側から覆うための細長い矩形状の前面カバー部４３とを備えている。カバー部材４は端面カバー部４１と裏面カバー部４２と前面カバー部４３によりコ字状の断面を形成している。また、カバー部材４の裏面カバー部４２には、略Ｕ字状の２つの切り欠き４２ａ，４２ａと、３つの円形孔４２ｈ，４２ｈ，４２ｈとが形成されている。
【００２５】
図４は、支持部材３とカバー部材４とを一体化する前の状態を示す図である。図４（ａ）は支持部材３とカバー部材４とを前面から見た図であり、図４（ｂ）は支持部材３とカバー部材４とを裏面から見た図である。
【００２６】
図５は、支持部材３とカバー部材４とを一体化した状態を示す斜視図である。図５に示すように、支持部材３とカバー部材４とを一体化すると、支持部材３の端面支持部３１はカバー部材４の端面カバー部４１により覆われ、支持部材３の裏面支持部３２はカバー部材４の裏面カバー部４２により覆われる。裏面支持部３２に固着された寸切りボルト１１，１１は裏面カバー部４２の切り欠き４２ａ，４２ａに収容され、裏面支持部３２から突出する突部３２ｔ，３２ｔ，３２ｔは裏面カバー部４２の円形孔４２ｈ，４２，４２ｈに嵌合される。裏面支持部３２の突部３２ｔ，３２ｔ，３２ｔは裏面カバー部４２の円形孔４２ｈ，４２，４２ｈと緊密に嵌合するため、カバー部材４が支持部材３から外れることを防止する抜け止め機構として機能する。
【００２７】
図５においては、一体化された支持部材３とカバー部材４の上方に、表札１の下部が図示されている。表札１の下部が表札保持具２により保持される際には、表札１の下端面１ｅは支持部材３の端面支持部３１により水平な状態で支持され、表札１の下端部裏面１ｒは支持部材３の裏面支持部３２により支持され、表札１の下端部前面１ｆはカバー部材４の前面カバー部４３により支持される。なお、図５に図示されていないが、表札１の上部が表札保持具２により保持される際にも、同様に、表札１の上端面、上端部裏面および上端部前面は、それぞれ端面支持部３１、裏面支持部３２および前面カバー部４３により支持される。
【００２８】
図６乃至図１１は表札保持具２の６面図である。図６は表札保持具２の正面図、図７は表札保持具２の背面図、図８は表札保持具２の右側面図、図９は表札保持具２の左側面図、図１０は表札保持具２の平面図、図１１は表札保持具２の底面図である。
図１２は表札保持具２の使用状態を示す斜視図である。図１２に示すように、表札１の上下端部は、上下一対の表札保持具２，２に嵌め込まれて保持されている。各表札保持具２には、左右一対の寸切りボルト１１が固定されており、寸切りボルト１１の先端部は壁面（図示せず）に埋め込まれて壁面に固定されるようになっている。表札１と壁面との間隔を形成するための高ナット（またはスペーサ）１２が寸切りボルト１１に装着されている。
【００２９】
本発明の表札保持具２を用いて玄関や塀等の壁面１００に表札１を取り付ける手順を図１３乃至図１５を参照して説明する。
図１３に示すように、表札１を支持部材３，３に嵌め込む。これにより、表札１の下端面および上端面は、支持部材３，３の端面支持部３１，３１に水平な状態で当接し、表札１の下端部裏面および上端部裏面は、支持部材３，３の裏面支持部３２，３２に当接する。また、表札１の下端部両側面および上端部両側面は支持部材３，３の側面支持部３３，３３に当接する。
【００３０】
次に、図１４に示すように、表札の上下部分に嵌め込まれた上下の支持部材３，３にそれぞれカバー部材４，４を嵌め込む。このとき、カバー部材４の裏面カバー部４２に形成された円形孔４２ｈ，４２ｈ，４２ｈに支持部材３の裏面支持部３２に形成された突部３２ｔ，３２ｔ，３２ｔが嵌り込む。そのため、支持部材３とカバー部材４とは、強固に一体化される。このとき、支持部材３の裏面支持部３２に固定された寸切りボルト１１はカバー部材４の切り欠き４２ａに収容される。そして、表札１の下端部前面および上端部前面は、カバー部材４の前面カバー部４３により支持される。
【００３１】
次に、壁面１００の上下左右に間隔をおいて形成された４個の孔に、上下一対の支持部材３，３に固定された寸切りボルト１１を挿入して接着剤を用いて寸切りボルト１１の部分を孔に固定することにより、図１５に示すように表札保持具２に保持された表札１が壁面１００に固定する。このとき、寸切りボルト１１には高ナット（またはスペーサ）１２が装着されているため、支持部材３の裏面支持部３２の背面と壁面１００の間隔は一定になる。図１５に示すように、表札１が表札保持具２によって壁面１００に取り付けられると、ドライバ等の工具を用いることなしにはカバー部材４を支持部材３から取り外しできないため、表札がいたずらで外されたり他人に持ち去られたりする危険性がない。
【００３２】
さらに、本発明の表札保持具２を用いて玄関や塀等の壁面１００に表札１を取り付ける手順の別の例を図１６乃至図１８を参照して説明する。
壁面１００の上下左右に間隔をおいて形成された４個の孔に、上下一対の支持部材３，３に固定された寸切りボルト１１を挿入して接着剤を用いて寸切りボルト１１を孔に固定することにより、図１６に示すように上下一対の支持部材３，３を壁面１００に固定する。このとき、寸切りボルト１１には高ナット（またはスペーサ）１２が装着されているため、支持部材３の裏面支持部３２の背面と壁面１００の間隔は一定になる。
【００３３】
次に、図１７に示すように、表札１を支持部材３，３に嵌め込む。これにより、表札１の下端面および上端面は、支持部材３，３の端面支持部３１，３１により水平な状態で支持され、表札１の下端部裏面および上端部裏面は支持部材３，３の裏面支持部３２，３２により支持される。また、表札１の下端部両側面および上端部両側面は支持部材３，３の側面支持部３３，３３により支持される。
【００３４】
次に、図１８に示すように、上下の支持部材３，３にそれぞれカバー部材４，４を嵌め込む。このとき、カバー部材４の裏面カバー部４２に形成された円形孔４２ｈ，４２ｈ，４２ｈに支持部材３の裏面支持部３２に形成された突部３２ｔ，３２ｔ，３２ｔが嵌り込まれる。そのため、支持部材３とカバー部材４とは、強固に一体化される。このとき、支持部材３の裏面支持部３２に固定された寸切りボルト１１はカバー部材４の切り欠き４２ａに収容される。そして、表札１の下端部前面および上端部前面は、カバー部材４の前面カバー部４３により支持される。図１８に示すように、表札１が表札保持具２によって壁面１００に取り付けられると、ドライバ等の工具を用いることなしにはカバー部材４を支持部材３から取り外しできないため、表札がいたずらで外されたり他人に持ち去られたりする危険性がない。
【００３５】
図１９は、本発明の第２の態様にかかる表札保持具を示す斜視図である。図１９に示すように、表札保持具２は、細長い矩形状の端面支持部３１と、端面支持部３１の後端から９０°折り曲げられた細長い矩形状の裏面支持部３２と、端面支持部３１の前端から９０°折り曲げられた細長い矩形状の前面支持部４３と、端面支持部の両側端から９０°折り曲げられた側面支持部３３とにより細長い箱状部分を構成し、この部分に表札１を嵌め込み表札１を支持する。
【００３６】
図１９においては、表札保持具２の上方に、表札１の下部が図示されている。表札１の下部が表札保持具２により保持される際には、表札１の下端面１ｅは端面支持部３１により水平な状態で支持され、表札１の下端部裏面１ｒは裏面支持部３２により支持され、表札１の下端部前面１ｆは前面支持部４３により支持される。なお、図１９に図示されていないが、表札１の上部が表札保持具２により保持される際にも、同様に、表札１の上端面、上端部裏面および上端部前面は、それぞれ端面支持部３１、裏面支持部３２および前面支持部４３により支持される。
【００３７】
図２０乃至図２５は本発明の第２の態様にかかる表札保持具２の６面図である。図２０は表札保持具２の正面図、図２１は表札保持具２の背面図、図２２は表札保持具２の右側面図、図２３は表札保持具２の左側面図、図２４は表札保持具２の平面図、図２５は表札保持具２の底面図である。
【００３８】
上述した実施形態においては、一対の表札保持具２により表札１の上端部および下端部を保持する場合を説明したが、一対の表札保持具２により表札１の左端部および右端部を保持する場合には、一対の表札保持具２を垂直方向に配置すればよく、組付け方法は同一である。
これまで本発明について、図１乃至図２５に示す実施形態を説明したが、本発明は上述の実施形態に限定されず、その技術的思想の範囲内において種々異なる形態にて実施されてよいことは言うまでもない。
【符号の説明】
【００３９】
１      表札
１ｅ    下端面
１ｆ    下端部前面
２      表札保持具
２ａ    嵌め込み部
３      支持部材
４      カバー部材
１１      寸切りボルト
１２      高ナット
３１      端面支持部
３２      裏面支持部
３２ｔ    突部
３３      側面支持部
４１      端面カバー部
４２      裏面カバー部
４２ａ    切り欠き
４２ｈ    円形孔
４３      前面カバー部、前面支持部
１００      壁面
【図１】
2012177856.tif 000003
【図２】
2012177856.tif 000004
【図３】
2012177856.tif 000005
【図４】
2012177856.tif 000006
【図５】
2012177856.tif 000007
【図６】
2012177856.tif 000008
【図７】
2012177856.tif 000009
【図８】
2012177856.tif 000010
【図９】
2012177856.tif 000011
【図１０】
2012177856.tif 000012
【図１１】
2012177856.tif 000013
【図１２】
2012177856.tif 000014
【図１３】
2012177856.tif 000015
【図１４】
2012177856.tif 000016
【図１５】
2012177856.tif 000017
【図１６】
2012177856.tif 000018
【図１７】
2012177856.tif 000019
【図１８】
2012177856.tif 000020
【図１９】
2012177856.tif 000021
【図２０】
2012177856.tif 000022
【図２１】
2012177856.tif 000023
【図２２】
2012177856.tif 000024
【図２３】
2012177856.tif 000025
【図２４】
2012177856.tif 000026
【図２５】
2012177856.tif 000027
【図２６】
2012177856.tif 000028
【図２７】
2012177856.tif 000029